(57)【要約】【課題】紙幣識別装置のフロントマスクに付設した挿入口扉のフラッパ軸支機構の簡素化，組立性向上と併せて、自動販売機に搭載した状態で高い防盗性が確保できるように挿入口扉およびその軸支構造を改良する。【解決手段】自動販売機の外扉に搭載して使用する紙幣識別装置であり、紙幣の搬送部，  識別部および収納部を内蔵した装置本体の前面に紙幣挿入口１０が開口した樹脂成形品になるフロントマスク９を備え、その紙幣挿入口の前面に防雨，防塵用として上下に開閉するフラッパ形の挿入口扉１１を設けたものにおいて、前記挿入口扉をその先端把手部１１ａが前方に突き出すように「く」字形に形成した上で、その支軸機構を次記のように１関節構造で構成し、扉上縁に結合した支軸１５を、フロントマスクと一体にその紙幣挿入口の開口上縁に形成した断面Ｃ字形の軸受部１６に嵌入して開閉自在に軸支保持する。【選択図】      図１
2005062973.tif 000002
【特許請求の範囲】
【請求項１】
自動販売機の外扉に搭載して使用する紙幣識別装置であり、紙幣の搬送部，  識別部および収納部を内蔵した装置本体の前面に紙幣挿入口が開口した樹脂成形品になるフロントマスクを備え、その紙幣挿入口の前面に防雨，防塵用として上下に開閉するフラッパ形の挿入口扉を設けたものにおいて、
前記挿入口扉をその先端把手部が前方に突き出すように「く」字形に形成した上で、その扉上縁に結合した支軸をフロントマスクに開口した紙幣挿入口の開口上縁の両端に一体形成した軸受部に嵌入して軸支保持したことを特徴とする自販機搭載用の紙幣識別装置。
【請求項２】
請求項１に記載の紙幣識別装置において、軸受部の断面形状がＣ字形であり、該軸受部と並べて挿入口上縁に支軸を嵌入位置に係止保持する突起状のフックを設けたことを特徴とする自販機搭載用の紙幣識別装置。
【請求項３】
請求項２に記載の紙幣識別装置において、支軸上に、挿入口扉を閉位置に付勢する捩じりコイルばねになる復帰ばねを設けたことを特徴とする自販機搭載用の紙幣識別装置。
【発明の詳細な説明】
【０００１】
【発明の属する技術分野】
本発明は、自動販売機に搭載した紙幣識別装置に関し、詳しくはその前面に設けたフロントマスクの紙幣挿入口扉構造に係わる。
【０００２】
【従来の技術】
まず、頭記の紙幣識別装置を装備した自動販売機の構成を図６に示す。図において、１は庫内に商品収納ラックを搭載した自動販売機の本体キャビネット、２はその前面外扉、３は商品見本を陳列する電照室、４は商品取出口であり、外扉２の販売操作部にはコイン機構５，投入金額，庫内温度などを表示する液晶パネル６と並置して紙幣識別装置（ビルバリデータ）７を装備している。
次に、前記紙幣識別装置７の従来構成を図７〜図９に示す。すなわち、紙幣識別装置７は、紙幣の搬送部，  識別部，収納部，および制御部を内蔵した本体ケース８の前面に、前記の紙幣搬送部に通じる紙幣挿入口を開口したフロントマスク（樹脂成形品）９を備え、さらにフロントマスク９にはその前面に開口したスリット状の紙幣挿入口１０を覆う防雨，防塵用扉として上下開閉式のフラッパ形挿入口扉１１を設けた構成になる。
【０００３】
ここで、挿入口扉１１は、方形状の平坦な透明樹脂板で作られており、該扉の上縁側とフロントマスク９の前面（紙幣挿入口１０の上部側）にねじ止めして取り付けた軸受支持板１２との間に構成した２関節構造のフラッパフラッパ軸支機構１３を介して開閉自在に支持されている（例えば、特許文献１参照）。
ここで、フラッパ軸支機構１３に２関節構造を採用しているのは、図９で示すように挿入口扉１１を閉位置から上方へ１８０度回転して開いた際に、挿入口扉１１と軸受支持板１２との干渉によるフラッパ軸支機構１３の破損を避けるためであり、仮にフラッパ軸支機構１３を１関節構造（固定支軸のみ）とすると、挿入口扉１１をいっぱいに開いた際にフラッパの上部側が前方に膨出した軸受支持板１２に当たり、その反力でフラッパ軸支機構１３に応力が集中して破損するおそれがある。
【０００４】
一方、前記構成の紙幣識別装置７を自動販売機の外扉２（図６参照）に装着するには、外扉２の扉板に開口した角穴に樹脂製の化粧枠を取り付けた上で、その背後に図８，図９に示すような鋼板製の防盗板１４を布設し、この防盗板１４に開口した窓穴に前記フロントマスク９の紙幣挿入口１０を臨ませて外扉に背後から組付けるようにしている。
なお、前記の防盗板１４は、バールなどの道具を使って自動販売機の前方から紙幣識別装置７のフロントマスク９，本体ケース８（自動販売機のキャビネット，外扉（鋼板製）に比べて機械的な強度が小さくて破壊され易い）を破壊し、装置内の紙幣収納部に保管されている紙幣を盗み出す手口の盗難防止策として、紙幣識別装置のフロントマスクの前面を覆うように設けたものである。
【０００５】
【特許文献１】
特許第３２１７６０６号公報
【０００６】
【発明が解決しようとする課題】
ところで、前記した紙幣識別装置のフロントマスク９およびその前面に配した挿入口扉１１について、従来構造では次記のような問題点がある。すなわち、
（１）  挿入口扉１１のフラッパ軸支機構１３として、特許文献１に開示されているような２関節構造を採用したものでは、フロントマスクの部品点数，組立工数が多くなってコスト高となる。
（２）  自動販売機の外扉に設けた防盗板１４について、高い防盗機能を確保するにはその板面に開口した窓穴をできる限り小さくし、バールなどの道具を使っての破壊行為を抑制する必要があるが、従来構造では図８，図９で表すようにフロントマスク９の前面に突き出している挿入口扉１１および軸受支持板１２を避けるために防盗板１４の窓穴の縦幅ｈが大きくなって防盗効果が低下する。
【０００７】
本発明は上記の点に鑑みなされたものであり、その目的は前記課題を解決し、紙幣識別装置のフロントマスクに付設した挿入口扉のフラッパ軸支機構の簡素化，組立性向上と併せて、自動販売機に搭載した状態で高い防盗性が確保できるように組立構造を改良した紙幣識別装置を提供することにある。
【０００８】
【課題を解決するための手段】
上記目的を達成するために、本発明によれば、自動販売機の外扉に搭載して使用する紙幣識別装置であり、紙幣の搬送部，  識別部および収納部を内蔵した装置本体の前面に紙幣挿入口が開口した樹脂成形品になるフロントマスクを備え、その紙幣挿入口の前面に防雨，防塵用として上下に開閉するフラッパ形の挿入口扉を設けたものにおいて、
前記挿入口扉をその先端把手部が前方に突き出すように「く」字形に形成した上で、その扉上縁に結合した支軸をフロントマスクに開口した紙幣挿入口の開口上縁の両端に一体形成した軸受部に嵌入して軸支保持するよう構成する（請求項１）。
【０００９】
上記のように挿入口扉を「く」字形に形成することで、該扉をいっぱいに開いた場合でも、扉先端の把手部がストッパとなって扉の回転角度が１８０°以下に規制される。したがって、挿入口扉のフラッパ軸支機構を１関節構造で構成しても、このフラッパ軸支機構に過大な応力の集中することがなくて機械的にも安全性を確保できる。
（２）  前項（１）  の構成において、フロントマスクに一体形成した軸受部の断面形状がＣ字形であり、該軸受部と並べて挿入口上縁に支軸を嵌入位置に係止保持する突起状のフックを設け、組立の際に前記支軸をフロントマスクの背面側から軸受部に嵌入して組立てるようにする（請求項２）。
これにより、従来構造のように２関節構造の支軸機構を軸受支持板を介してフロントマスクに組付けたものと比べて、少ない部品点数および少ない組立工数で挿入口扉をフロントマスクに組付けることができて組立性が向上する。
【００１０】
（３）  さらに、前記の支軸上には、挿入口扉を閉位置に付勢する捩じりコイルばねになる復帰ばね設けることにより（請求項３）、開放した挿入口扉から手を放すと、挿入口扉を復帰ばねのばね力で自動的に閉じることができる。
【００１１】
【発明の実施の形態】
以下、本発明の実施の形態を図１〜図５に示す実施例に基づいて説明する。なお、実施例の図中で図７〜図９に対応した部材には同じ符号を付してその説明は省略する。
図示実施例において、フロントマスク９の紙幣挿入口１０に配したフラッパ形の挿入口扉１１は、その扉先端の把手部１１ａが前方に突き出すように「く」字形（図１の断面図は右側から見た断面図で、挿入口扉１１は逆「く」字形になっている）になる。また、挿入口扉１１は次記のような１関節構造になる支軸機構を介してフロントマスク９に軸支されている。すなわち、挿入口扉１１の上縁中央に結合した支軸１５を、フロントマスク９と一体成形して紙幣挿入口１０の上縁両端部分に形成した左右一対の軸受部１６に嵌入保持して上下方向へ開閉可能に軸支しており、従来構造における軸受取付板１２（図８，図９参照）は省略している。
【００１２】
ここで、前記軸受部１６は、その断面形状をＣ字形としてその後端が開いており、さらに図３で示すように軸受部１６と並べて紙幣挿入口１０お上縁中央には前記支軸１５が嵌入位置から脱落するのを防ぐように係止保持する突起状のフック１７を設けている。そして、挿入口扉１１をフロントマスク９に組付ける際には、図示矢印のように支軸１５を取り付けた状態で挿入口扉１１をフロントマスク９の背面側から差込んで支軸１５の両端を軸受部１６に嵌め込み、スナップフィット式に軸支保持するようにしている。
また、前記支軸１５の軸上には挿入口扉１１を閉方向に付勢する復帰ばね１８として、両端をフロントマウント９と挿入口扉１１の扉板に架け渡した捩じりコイルばねを備えている。
【００１３】
そして、上記構成の紙幣識別装置７は図６で述べたように自動販売機の外扉２に装着し、この装着位置で前記の挿入口扉１１が自動販売機の外扉側に布設した防盗板１４の開口窓穴から前方に突き出すように組付けている。
この装着状態では、図１から判るように挿入口扉１１の先端把手部１１ａ，およびフロントマスク９に一体形成した軸受部１６が防盗板１４に開口した窓穴から前方に突き出し、その他の領域は防盗板（鋼板製）で覆われている。これにより、防盗板１４に開口した窓穴は、その縦幅ｈ１を図９の従来構造における縦幅ｈと比べてフロントマスク９の紙幣挿入口１０に対応する寸法まで縮小可能となり、これにより防盗性が向上する。
【００１４】
【発明の効果】
以上述べたように、本発明によれば、自動販売機の外扉に搭載して使用する紙幣識別装置であり、紙幣の搬送部，  識別部および収納部を内蔵した装置本体の前面に紙幣挿入口が開口した樹脂成形品になるフロントマスクを備え、その紙幣挿入口の前面に防雨，防塵用として上下に開閉するフラッパ形の挿入口扉を設けたものにおいて、前記挿入口扉をその先端把手部が前方に突き出すように「く」字形に形成した上で、その扉上縁に結合した支軸をフロントマスクに開口した紙幣挿入口の開口上縁の両端に一体形成した軸受部に嵌入して軸支保持したことにより、
従来装置の挿入口扉に採用していた２関節構造のフラッパ軸支機構と比べて、部品点数，組立工数を低減できるほか、挿入口扉の開放時には前方に突き出した先端把手部がストッパの役目を果して支軸機構への応力集中もなくて安全性が向上する。しかも、自動販売機の外扉に組付けた状態では、外扉側に布設した防盗板の開口窓穴を従来よりも縮小して高い防盗性を確保できる。
【００１５】
また、前記構成における軸受部の断面形状をＣ字形とし、該軸受部と並べて挿入口上縁に支軸を嵌入位置に係止保持する突起状のフックを設けた請求項２の構成によれば、フロントマスクへの挿入口扉の組付け作業をワンタッチ操作で簡単に行うことができて組立性が向上する。さらに、請求項３の復帰ばねを併用することで、挿入口扉を開放後に閉位置に自動的に復帰させることができる。
【図面の簡単な説明】
【図１】本発明の実施例による挿入口扉付きフロントマスクの縦断側面図
【図２】図１のフロントマスクを装備した紙幣識別装置の外観斜視図
【図３】図１の構成において挿入口扉をフロントマスクに組付ける組立方法の説明図
【図４】図３の組立方法でフロントマスクに組付けた状態を表す挿入口扉の斜視図
【図５】図２の紙幣識別装置を自動販売機の外扉に装着した状態でのフロントマスクと防盗板との相対位置関係を表す図
【図６】紙幣識別装置を搭載した自動販売機の正面図
【図７】従来における紙幣識別装置全体の外観斜視図
【図８】図７の紙幣識別装置を自動販売機の外扉に装着した状態でのフロントマスクと防盗板との相対位置関係を表す図
【図９】図８の縦断側面図
【符号の説明】
２    自動販売機の外扉
７    紙幣識別装置
８    本体ケース
９    フロントマスク
１０    紙幣挿入口
１１    挿入口扉
１３    軸支機構
１４    防盗板
１５    支軸
１６    軸受部
１７    フック
１８    復帰ばね
【図１】
2005062973.tif 000003
【図２】
2005062973.tif 000004
【図３】
2005062973.tif 000005
【図４】
2005062973.tif 000006
【図５】
2005062973.tif 000007
【図６】
2005062973.tif 000008
【図７】
2005062973.tif 000009
【図８】
2005062973.tif 000010
【図９】
2005062973.tif 000011